(57)【特許請求の範囲】
【請求項１】
開閉自在であり、開くことにより遊技球を内部に入球可能な可動片を有する入賞装置を遊技領域に備え、遊技球が始動入賞口に入球することにより前記可動片を開作動させ、かつ遊技球が前記入賞装置の内部に設けられたＶゾーンに入賞することにより大当り状態となるパチンコ機であって、
前記入賞装置は、前記大当り状態の成立により、複数の図柄を変動表示した後に、前記複数の図柄のうち前記大当り状態作動時の開放パターンを決定する図柄を表示する変動図柄表示部を備え、
前記可動片を、前記遊技領域の左側に配置される上側可動片及び下側可動片から構成し、
前記上側、下側可動片にそれぞれ対応して上側、下側大入賞口を設け、
前記可動片の開作動については、前記大当り状態が作動するまでは前記始動入賞口への遊技球の入賞により制御され、前記大当り状態作動に伴い前記変動図柄表示部に表示される前記大当り状態作動時の開放パターンを決定する図柄に応じて制御され、
前記大当り作動時において前記上側大入賞口に入球した遊技球を検出しその検出数が予め定めた上側基準値になると、前記Ｖゾーンに延びるＶゾーン通路に遊技球を誘導する凹溝を備えた振分け回転体について前記凹部が上方になるように停止させ、前記凹溝を介して前記上側大入賞口からの遊技球を前記Ｖゾーンへ誘導することにより前記大当り作動を継続させることを可能とする上側検出信号を出力する上側スイッチを設け、
前記大当り作動時において前記下側大入賞口に入球した遊技球を検出しその検出数が予め定めた下側基準値になると、前記下側可動片を閉じて大当り作動を終了させることを可能とする下側検出信号を出力する下側スイッチを設け、
前記始動入賞口を、左側始動口、右側始動口及び中央始動口から構成し、
前記左側始動口又は前記右側始動口への遊技球の入賞により前記下側可動片を開き、前記中央始動口への遊技球の入賞により前記上側可動片を開くように構成し、
前記上側基準値と下側基準値とを異なる値とし、
前記入賞装置へ前記上側可動片から入球した遊技球の前記Ｖゾーンへの入賞確率は、前記下側可動片から入球した場合と比較して高くされることを特徴とするパチンコ機。
【発明の詳細な説明】
【０００１】
【発明の属する技術分野】
本発明は、入賞装置を備えたパチンコ機に関する。
【０００２】
【従来の技術】
従来のパチンコ機の一例として、遊技球をＶゾーンに誘導可能な２つの可動片を有する第２種特別電動役物を遊技盤の略中央部に設け、２つの可動片を左右対称に配置し、遊技盤に設けた始動入賞口（第２種始動口）に遊技球が入賞すると、前記２つの可動片が共に開作動し（第２種特別電動役物の大入賞口を開放し）、Ｖゾーンへの入賞を期待させるようにしたものがある。
【０００３】
【発明が解決しようとする課題】
ところで、近時、遊技性の向上及びパチンコ遊技の多様化が求められている。そして、この要望に応えるために役物は複雑化され大型のものが用いられるようになってきている。一方、遊技領域に前記大型化された役物が配置されることから、遊技領域における当該役物を除いた部分は狭くなり当該部分の遊技性が低下し、パチンコ機全体として遊技性の向上に制約を受けているというのが実情であった。
【０００４】
前記従来技術は、始動入賞口に遊技球が入賞すると、２つの可動片が共に開作動し、遊技者にＶゾーンへの入賞の期待感を持たせるもの（ひいては遊技性を持つもの）になっているが、前記従来技術についても上述したのと同様に高い遊技性を確保できていないものになっている。
【０００５】
本発明は、上記事情に鑑みてなされたもので、遊技性の向上を図ることができるパチンコ機を提供することを目的とする。
【０００６】
【課題を解決するための手段】
請求項１記載の発明は、開閉自在であり、開くことにより遊技球を内部に入球可能な可動片を有する入賞装置を遊技領域に備え、遊技球が始動入賞口に入球することにより前記可動片を開作動させ、かつ遊技球が前記入賞装置の内部に設けられたＶゾーンに入賞することにより大当り状態となるパチンコ機であって、前記入賞装置は、前記大当り状態の成立により、複数の図柄を変動表示した後に、前記複数の図柄のうち前記大当り状態作動時の開放パターンを決定する図柄を表示する変動図柄表示部を備え、前記可動片を、前記遊技領域の左側に配置される上側可動片及び下側可動片から構成し、前記上側、下側可動片にそれぞれ対応して上側、下側大入賞口を設け、前記可動片の開作動については、前記大当り状態が作動するまでは前記始動入賞口への遊技球の入賞により制御され、前記大当り状態作動に伴い前記変動図柄表示部に表示される前記大当り状態作動時の開放パターンを決定する図柄に応じて制御され、前記大当り作動時において前記上側大入賞口に入球した遊技球を検出しその検出数が予め定めた上側基準値になると、前記Ｖゾーンに延びるＶゾーン通路に遊技球を誘導する凹溝を備えた振分け回転体について前記凹部が上方になるように停止させ、前記凹溝を介して前記上側大入賞口からの遊技球を前記Ｖゾーンへ誘導することにより前記大当り作動を継続させることを可能とする上側検出信号を出力する上側スイッチを設け、前記大当り作動時において前記下側大入賞口に入球した遊技球を検出しその検出数が予め定めた下側基準値になると、前記下側可動片を閉じて大当り作動を終了させることを可能とする下側検出信号を出力する下側スイッチを設け、前記始動入賞口を、左側始動口、右側始動口及び中央始動口から構成し、前記左側始動口又は前記右側始動口への遊技球の入賞により前記下側可動片を開き、前記中央始動口への遊技球の入賞により前記上側可動片を開くように構成し、前記上側基準値と下側基準値とを異なる値とし、前記入賞装置へ前記上側可動片から入球した遊技球の前記Ｖゾーンへの入賞確率は、前記下側可動片から入球した場合と比較して高くされることを特徴とする。
【０００８】
【発明の実施の形態】
本発明の一実施の形態のパチンコ機を図１ないし図４に基づいて説明する。
図１及び図２において、パチンコ機１の遊技盤２の前面には、誘導レール３が円形渦巻状に設けられており、内側に遊技領域４を形成している。誘導レール３は、図示しない発射機構により打ち出された遊技球を遊技盤２の左側上部から前記遊技領域４へ送り出すようにしている。
【０００９】
遊技盤２の遊技領域４の中央部には、可変入賞装置５（役物）が設けられている。また、遊技領域４の下側部分には、３つの第２種始動口が横方向に並んで設けられている。３つの第２種始動口のうち左側のものを左側始動口６、右側のものを右側始動口７、中央のものを中央始動口８という。さらに、遊技領域４には、風車９及び図示しない釘などの遊技用部材１０が複数設けられている。なお、複数の遊技用部材１０の大部分は、左右対象に配置されているが、一部のもの（可変入賞装置５の両側の遊技領域４に配置される遊技用部材１０）は左右非対称に配置されている。
【００１０】
可変入賞装置５は、プレート１１を備え、このプレート１１を遊技盤２に重ね合わせ、ビスなどの固定部材(図示省略)を用いて遊技盤２に着脱自在に固定されている。可変入賞装置５は、上部に図柄表示装置の変動図柄表示部（以下、適宜、図柄表示部という。）１２を一体的に備えている。また、可変入賞装置５は、その下部側が特別入賞口（Ｖゾーン１３）とされている。Ｖゾーン１３に隣接してその左右に２つの普通入賞口１４が設けられている。Ｖゾーン１３及び普通入賞口１４を部分的に遮るように第１誘導板１５が配置されている。
【００１１】
可変入賞装置５における第１誘導板１５の上側には、円柱物１６ａの側部に板１６ｂを腕状に延設した形状の誘導物１６が、円柱物１６ａの一端部をプレート１１に接合し、両板１６ｂを左右に延ばして設けられている。誘導物１６の上側には、後述する上側可動片１７ａからの遊技球を可変入賞装置５の右側に設けた振分け回転体１８に案内する第２誘導板１９が配置されている。
【００１２】
前記可変入賞装置５のプレート１１には、図柄表示部１２を配置した部分から右方に延び、振分け回転体１８を包み込むように湾曲しさらに第１誘導板１５に延びる、湾曲した形状の板（湾曲板２０）が垂設されている。湾曲板２０は、図示しないガラス板に略達する高さにされている。
【００１３】
Ｖゾーン１３、誘導物１６、第１誘導板１５及び図柄表示装置（図柄表示部１２）は、遊技盤２の中心部を含み上下方向に延びる垂直線２１上に並んで配置されている。
前記Ｖゾーン１３、誘導物１６及び第１誘導板１５の左横側には、パチンコ機１の上下方向に延びる、所定高さ（図示しないガラス板に略達する高さ）の支持板２２が垂設されている。この支持板２２には、誘導物１６の高さに略対応してそれぞれ切欠部２３（開口）が形成され、切欠部２３に支持軸２４が設けられている。
【００１４】
各支持軸２４には、図示しないソレノイドなどのアクチュエータに駆動される同等形状の可動片（第２誘導板１９に対応するものを上側可動片１７ａ、誘導物１６に対応するものを下側可動片１７ｂという。）が回動可能に設けられている。上側可動片１７ａ及び下側可動片１７ｂに対応して支持板２２には大入賞口（以下、上側可動片１７ａに対応するものを上側大入賞口２５ａ、下側可動片１７ｂに対応するものを下側大入賞口２５ｂという。）が設けられている。
【００１５】
上側大入賞口２５ａ及び下側大入賞口２５ｂには、それぞれスイッチ（上側大入賞口２５ａに対応するものを上側スイッチ２６ａ、下側大入賞口２５ｂに対応するものを下側スイッチ２６ｂという。）が設けられており、遊技球が上側大入賞口２５ａ及び下側大入賞口２５ｂを通過することを検出するようにしている。
【００１６】
上側可動片１７ａ及び下側可動片１７ｂは、常時は略立ち上がった状態（上側大入賞口２５ａ及び下側大入賞口２５ｂを閉じた状態）にされて遊技球が可変入賞装置５の内側領域（湾曲板２０及び支持板２２などにより囲まれた領域）に入り込むことを抑える一方、アクチュエータ(図示省略)に駆動されて、図２に示すように横臥した状態（上側大入賞口２５ａ及び下側大入賞口２５ｂを開いた状態）にされ、遊技球を上側大入賞口２５ａ及び下側大入賞口２５ｂへ案内し、Ｖゾーン１３への入賞を期待できるものにしている。この場合、上側可動片１７ａが開状態である場合と下側可動片１７ｂが開状態である場合を比較すると、後述するように、前者（上側可動片１７ａ）から入球した遊技球の方がＶゾーン１３に対する入賞確率が高いものになっている。
【００１７】
振分け回転体１８は、図示しないモータにより回転されるようになっている。振分け回転体１８は、第２誘導板１９の右側端部に隣接し、その右側下部に配置されている。可変入賞装置５は、振分け回転体１８などを設けた分、右方に突出した形状にされている。
振分け回転体１８は、円柱物の相対向する側面部を円弧状に切欠き（符号２７で示す）、残された両円弧状の部分に軸方向に延びる凹溝２８（切欠部）を形成した形状を成しており、凹溝２８には遊技球が入り込めるようになっている。前記側面部への切欠き２７の形成により、一方の端部（以下、基端部２９という。）に略半円状で所定厚さのフランジ３０が残されている。振分け回転体１８の基端部２９には、両凹溝２８を連通する連通溝３１が形成されている。また、凹溝２８の低部（符号省略）は、基端部２９に向けて傾斜しており、遊技球が凹溝２８に入球すると基端部２９側に転がりやすくなっている。
【００１８】
プレート１１の裏面側（遊技盤２の裏面側）には、図２に模式的に示すように、振分け回転体１８に対応した部分からＶゾーン１３まで延びる通路（Ｖゾーン用通路３２）が設けられている。Ｖゾーン用通路３２の出口はＶゾーン１３に臨んで設けられている。Ｖゾーン用通路３２は、凹溝２８からの遊技球を受けてこれをＶゾーン１３方向に案内して入賞させるようにしている。Ｖゾーン１３及び普通入賞口１４には、それぞれ遊技球を検出するための図示しない検出センサが設けられている。
また、このパチンコ機１には、Ｖゾーン１３の遊技球の通過に応じて作動する役物連続作動装置(図示省略)が設けられている。
【００１９】
上側可動片１７ａが開いて上側大入賞口２５ａが開放されて、当該上側大入賞口２５ａから遊技球が入る（入賞する）と、遊技球は、第２誘導板１９に案内された後、凹溝２８に入球し、その後、Ｖゾーン用通路３２を通ってＶゾーン１３に誘導される（この玉経路を、以下、便宜上、上側第１玉経路３３ａという。）か、または、凹溝２８に入球せず、例えば湾曲板２０と振分け回転体１８との間の誘導部３５を通り、普通入賞口１４に入賞する（この玉経路を、以下、便宜上、上側第２玉経路３３ｂという。）ことになる。
【００２０】
また、下側可動片１７ｂが開いて下側大入賞口２５ｂが開放されて、当該下側大入賞口２５ｂから遊技球が入る（入賞する）と、遊技球は、誘導物１６に当接してその落下速度や方向が変えられた後、第１誘導板１５を介してＶゾーン１３または普通入賞口１４に入賞する。この場合、誘導物１６及び第１誘導板１５の形状、大きさ及び配置などを調整し、Ｖゾーン１３より普通入賞口１４に入賞しやすいようにしている。以下、便宜上、前記下側大入賞口２５ｂからＶゾーン１３に至る玉経路を下側第１玉経路３４ａ、下側大入賞口２５ｂから普通入賞口１４に至る玉経路を下側第２玉経路３４ｂという。
【００２１】
下側可動片１７ｂが開いて下側大入賞口２５ｂが開放された場合には、遊技球は第１誘導板１５を介してＶゾーン１３または普通入賞口１４に入賞し、さらにＶゾーン１３より普通入賞口１４に入球しやすいようにしているので、Ｖゾーン１３への入賞する確率は比較的小さいものになっている。
これに対し、上側可動片１７ａが開くことにより上側大入賞口２５ａから球が入球した場合には、振分け回転体１８の凹溝２８に入球するとＶゾーン用通路３２を通過しＶゾーン１３に入賞しやすくなるから、Ｖゾーン１３に入賞する確率は、上述した下側可動片１７ｂが開くことにより下側大入賞口２５ｂから球が入球した場合に比して、高いものになっている。
【００２２】
上側可動片１７ａ及び下側可動片１７ｂを駆動する前記アクチュエータ(図示省略)、上側スイッチ２６ａ及び下側スイッチ２６ｂなどは、当該パチンコ機１の本体に設けられた図示しない制御装置（基板）により制御されている。この制御装置の制御内容を、図３及び図４のフローチャートを参照して、以下に、説明する。
【００２３】
遊技球が遊技領域４に発射されると、まず、その遊技球が左側始動口６、右側始動口７または中央始動口８に入賞したか否か判定する(ステップＳ１)。ステップＳ１でＹｅｓと判定すると、遊技球が入球した始動口が左側始動口６及び右側始動口７のうち一方であるか又は中央始動口８であるか判定する（ステップＳ２）。ステップＳ２で左側始動口６又は右側始動口７であると判定した場合は下側可動片１７ｂを開き、中央始動口８であると判定した場合は上側可動片１７ａを開くようにしている。
【００２４】
すなわち、ステップＳ２で遊技球が入球した始動口が左側始動口６又は右側始動口７であると判定した場合は、下側可動片１７ｂを開く(ステップＳ３)と共に、下側可動片１７ｂが開いている時間を示す開口時間Ｔの計測を開始する（ステップＳ４）。次に、開口時間Ｔが予め定められた下側可動片１７ｂの開時間（規定時間）Ｔ０内であるか否かを判定する（ステップＳ５）。
ステップＳ５でＮｏ（開口時間Ｔが規定時間Ｔ０を超えている）と判定すると、下側可動片１７ｂを閉じると共に、前記開口時間Ｔをリセットして下側可動片１７ｂの１回の開作動を終了し（ステップＳ６）、ステップＳ１に戻る。
【００２５】
ステップＳ５でＹｅｓ（開口時間Ｔが規定時間Ｔ０内である）と判定すると、下側スイッチ２６ｂがオンされた（即ち、遊技球が下側大入賞口２５ｂを通過した）か否かを判定する（ステップＳ７）。このステップＳ７でＮｏと判定すると、ステップＳ５に戻り、開口時間Ｔが規定時間Ｔ０を超えるまで、このステップＳ７を実行するようにしている。
【００２６】
ステップＳ７でＹｅｓと判定する（この場合、遊技球が下側大入賞口２５ｂを通過したことから、Ｖゾーン１３への入賞が期待される状態になっている。）と、Ｖゾーン１３に入賞したか否かをＶゾーン１３に設けた検出センサ(又は普通入賞口１４に設けた検出センサ)の信号により判定する（ステップＳ８）。
ステップＳ８でＮｏ（普通入賞口１４に入賞した、即ち、Ｖゾーン１３に入賞していない）と判定すると、普通入賞口１４への入賞に応じた出玉処理を行い(ステップＳ９)ステップ１に戻る。
ステップＳ８でＹｅｓ（Ｖゾーン１３に入賞した）と判定すると、図４に示される大当り処理を実行する(ステップＳ１０)。
【００２７】
一方、ステップＳ２で遊技球が入球した始動口が中央始動口８であると判定した場合は、上側可動片１７ａを開く(ステップＳ３Ａ)ことになるが、以下の処理は、上述したように遊技球が左側始動口６又は右側始動口７に入球したと判定された場合と略同等に行われる。
【００２８】
すなわち、ステップＳ２で遊技球が中央始動口８に入球されたと判定した場合は、上側可動片１７ａを開く(ステップＳ３Ａ)と共に、上側可動片１７ａが開いている時間を示す開口時間Ｔの計測を開始する（ステップＳ４Ａ）。次に、開口時間Ｔが予め定められた上側可動片１７ａの開時間（規定時間Ｔ０）内であるか否かを判定する（ステップＳ５Ａ）。
【００２９】
ステップＳ５ＡでＮｏ（開口時間Ｔが規定時間Ｔ０を超えている）と判定すると、上側可動片１７ａを閉じると共に、前記開口時間Ｔをリセットして上側可動片１７ａの１回の開作動を終了し（ステップＳ６Ａ）、ステップＳ１に戻る。
【００３０】
ステップＳ５ＡでＹｅｓ（開口時間Ｔが規定時間Ｔ０内である）と判定すると、上側スイッチ２６ａがオンされた（即ち、遊技球が上側大入賞口２５ａを通過した）か否かを判定する（ステップＳ７Ａ）。このステップＳ７ＡでＮｏと判定すると、ステップＳ５Ａに戻り、開口時間Ｔが規定時間Ｔ０を超えるまで、このステップＳ７Ａを実行するようにしている。
【００３１】
ステップＳ７ＡでＹｅｓと判定する（この場合、遊技球が上側大入賞口２５ａを通過したことから、Ｖゾーン１３への入賞が期待される状態になっている。）と、Ｖゾーン１３に入賞したか否かをＶゾーン１３に設けた検出センサ(又は普通入賞口１４に設けた検出センサ)の信号により判定する（ステップＳ８Ａ）。ステップＳ８ＡでＮｏ（普通入賞口１４に入賞した、即ち、Ｖゾーン１３に入賞していない）と判定すると、普通入賞口１４への入賞に応じた出玉処理を行い(ステップＳ９Ａ)ステップ１に戻る。
ステップＳ８ＡでＹｅｓ（Ｖゾーン１３に入賞した）と判定すると、ステップＳ１０ (大当り処理)に進む。
【００３２】
上述したようにＶゾーン１３に入賞すると、(大当り処理)を実行する。この大当り処理（ステップＳ１０）では、図４に示すように、まず、変動図柄表示部１２に表示される開放パターン決定図柄（０から９までの１０図柄）が偶数の５通り（０，２，４，６，８）であるか、又は奇数の５通り（１，３，５，７，９）のいずれであるか判定する(ステップＳ３０)。偶数と判定した場合には下側可動片１７ｂを開き、また、奇数と判定した場合は上側可動片１７ａを開く（上述したように上側可動片１７ａが開いたほうが下側可動片１７ｂが開いた場合に比して、Ｖゾーン１３に入賞する確率が高いものになっている）ようにしており、開放パターン決定図柄が奇数であった場合には、偶数であった場合に比して有利な状態になるようにしている。
以下、変動図柄表示部１２に表示される開放パターン決定図柄が偶数であると判定した場合及び奇数であると判定した場合について、この順に説明する。
【００３３】
まず、変動図柄表示部１２に表示される開放パターン決定図柄が偶数であると判定した場合には、下側可動片１７ｂ（ひいては下側大入賞口２５ｂ）を開く(ステップＳ３１)と共に、大入賞口（下側大入賞口２５ｂ及び上側大入賞口２５ａ）が開放した回数を示す開放回数ｎを「１」インクリメントする(ステップＳ３２)。次に、下側スイッチ２６ｂのオンの回数、ひいては下側大入賞口２５ｂを遊技球が通過した個数を示す下側入賞個数ｍが１０個未満であるか否かを判定する(ステップＳ３３)。ステップＳ３３でＹｅｓ（下側入賞個数ｍが１０個になっていない）と判定すると、開放回数ｎが１８回未満であるか否かを判定する(ステップＳ３４)。
【００３４】
ステップＳ３４でＹｅｓ（開放回数ｎが１８回未満である）と判定すると、下側スイッチ２６ｂがオンしたか否かを判定する(ステップＳ３５)。ステップＳ３５でＹｅｓと判定すると、下側入賞個数ｍを１インクリメントし(ステップＳ３６)、遊技球が通過する遊技球が下側第１玉経路３４ａ及び下側第２玉経路３４ｂのいずれであるかをＶゾーン１３に設けた検出センサ(又は普通入賞口１４に設けた検出センサ)の信号により判定する（ステップＳ３７）。
【００３５】
ステップＳ３７で下側第１玉経路３４ａを通過した、即ちＶゾーン１３に入賞したと判定すると、Ｖゾーン１３入賞に伴う処理（出玉処理や例えば盤面に設けた表示灯による報知など）を行う(ステップＳ３８)。
次に、Ｖゾーン１３に入賞したことにより、下側可動片１７ｂを再度開く(ステップＳ３１Ａ)と共に、開放回数ｎを「１」インクリメントし(ステップＳ３２Ａ)、ステップＳ３１に戻る。
ステップＳ３７で遊技球が下側第２玉経路３４ｂを通過した、即ち、Ｖゾーン１３に入賞していないと判定すると、普通入賞口１４への入賞に応じた出玉処理を行い(ステップＳ３９)、ステップ４０に進んで、下側可動片１７ｂを閉じて大当り作動を終了させる。
【００３６】
ステップＳ３３でＮｏ〔下側入賞個数ｍが１０個（請求項１の下側基準値）に達した〕と判定したり、ステップＳ３４でＮｏ（開放回数ｎが１８回に達した）と判定すると、ステップ４０に進んで、下側可動片１７ｂを閉じて大当り作動を終了させる。
【００３７】
一方、変動図柄表示部１２に表示される(ステップＳ２９)開放パターン決定図柄が奇数であると判定した(ステップＳ３０)場合には、上側可動片１７ａ（ひいては上側大入賞口２５ａ）を開き(ステップＳ４１)、開放回数ｎを「１」インクリメントし(ステップＳ３２Ｂ)、上側スイッチ２６ａのオンの回数、ひいては上側大入賞口２５ａを遊技球が通過した個数を示す上側入賞個数ｋが８個未満であるか否かを判定する(ステップＳ４２)。ステップＳ４２でＹｅｓと判定すると、開放回数ｎが１８回未満であるか否かを判定する(ステップＳ３４Ａ)。
ステップＳ３４ＡでＹｅｓ（開放回数ｎが１８回未満である）と判定すると、上側スイッチ２６ａがオンしたか否かを判定する(ステップＳ４３)。
【００３８】
ステップＳ４３でＹｅｓ（上側スイッチ２６ａがオンした、即ち、上側大入賞口２５ａを遊技球が通過した）と判定すると、下側入賞個数ｍを１インクリメントし(ステップＳ４４)、遊技球が通過する遊技球が上側第１玉経路３３ａ及び上側第２玉経路３３ｂのいずれであるかをＶゾーン１３に設けた検出センサ(又は普通入賞口１４に設けた検出センサ)の信号により判定する（ステップＳ４５）。
【００３９】
ステップＳ４５で遊技球が下側第１玉経路３４ａを通過した、即ち、Ｖゾーン１３に入賞したと判定すると、Ｖゾーン１３入賞に伴う処理（出玉処理や例えば盤面に設けた表示灯による報知など）を行う(ステップＳ４６)。
次に、Ｖゾーン１３に入賞したことにより、上側可動片１７ａを再度、開き(ステップＳ４１Ａ)、ステップＳ３２Ａに進む。
ステップＳ４５で下側第２玉経路３４ｂを通過した、即ち、Ｖゾーン１３に入賞していないと判定すると、普通入賞口１４への入賞に応じた出玉処理を行い(ステップＳ４７)、ステップ４８に進んで、上側可動片１７ａを閉じて大当り作動を終了させる。
【００４０】
ステップＳ４２でＮｏ〔上側入賞個数ｋが８個（請求項１の上側基準値）に達した〕と判定したり、ステップＳ３４ＡでＮｏ（開放回数ｎが１８回に達した）と判定すると、ステップ４８に進んで、上側可動片１７ａを閉じて大当り作動を終了させる。
【００４１】
上述したように構成したパチンコ機１では、遊技球が入球した始動口が左側始動口６又は右側始動口７であると判定した（ステップＳ２）場合は、下側可動片１７ｂを開く(ステップＳ３)一方、遊技球が入球した始動口が中央始動口８であると判定した（ステップＳ２）場合は、上側可動片１７ａを開く(ステップＳ１３Ａ)ようにしている。このように、左側始動口６又は右側始動口７に入球されたか、又は中央始動口８に入球されたかにより、開作動される可動片（下側可動片１７ｂ又は上側可動片１７ａ）が異なるので、遊技内容に変化を持たせることができ、遊技性を向上できることになる。
【００４２】
また、上側可動片１７ａが開いたときと下側可動片１７ｂが開いたときでＶゾーン１３に入賞する確率が異なり、かつ上側可動片１７ａ及び下側可動片１７ｂを複数の第２種始動口のいずれかへの入球により定めるようにしており、この可変入賞装置５により変化に富んだ遊技性を楽しむことができる。
【００４３】
また、本実施の形態では、上述したように、大当りで下側可動片１７ｂ（ひいては下側大入賞口２５ｂ）が開いた(ステップＳ３１)ときに、Ｖゾーン１３に入賞した(ステップＳ３５及びステップＳ３８)場合、再度、下側可動片１７ｂを開く(ステップＳ３１Ａ)ようにしている。一方、大当りで上側可動片１７ａ（ひいては上側大入賞口２５ａ）が開いた(ステップＳ４１)ときに、Ｖゾーン１３に入賞した(ステップＳ４３及びステップＳ４６)場合、再度、上側可動片１７ａを開く(ステップＳ３１Ａ)ようにしている。
【００４４】
この場合、前者（下側大入賞口２５ｂが開いて大当りになったときにおけるＶゾーン１３への入賞）と、後者（上側大入賞口２５ａが開いて大当りになったときにおけるＶゾーン１３への入賞）とについて比較すると、上述したように上側可動片１７ａが開いたときと下側可動片１７ｂが開いたときでＶゾーン１３に入賞する確率が異なるようにしていることから、前者と後者の出玉調整を調整することが可能（例えば、前者に比して後者の方の出玉を多くすることが可能になる。）、その分、遊技性の向上を図ることができる。
【００４５】
また、上述したようにＶゾーン１３への入賞が期待される上側可動片１７ａ及び下側可動片１７ｂを共に、遊技領域４の左側に配置しているので、遊技者は遊技領域の左側部分を狙って遊技球を打ち出すことによりＶゾーン１３へ入賞できる可能性が高くなる。
【００４６】
即ち、従来技術においては、役物の可動片を左右対象にも受けていたため、一方をねらうと、他方の可動片ひいては大入賞口を十分には生かせないことになる。
これに対して、本実施の形態では、遊技領域の左側部分を狙うことにより、大多数の遊技球が、遊技領域４の左側に配置されている上側可動片１７ａ及び下側可動片１７ｂの配置領域を通行することになり、これ伴い、上側大入賞口２５ａ及び下側大入賞口２５ｂの機能を共に良好に維持できる。
【００４７】
可変入賞装置５は、左右非対称であり、これに伴い、可変入賞装置５の左右で遊技球が異なる動きで落下すると共に、左右非対称の可変入賞装置５が配置されることにより遊技領域４が左右非対称になり、釘及び風車９などの遊技用部材１０が遊技領域４で左右非対称に配置され、その分、遊技球の落下速度及び方向などを変化に富むものにすることができる。
【００４８】
上記実施の形態では、上側可動片１７ａ及び下側可動片１７ｂを同等形状に構成した場合を例にしたが、これに限らず、一方を大きくするなどのように形状が異なるように構成してもよい。また、上記実施の形態では、上側可動片１７ａの支持軸２４及び下側可動片１７ｂの支持軸２４が垂直線上に並んだ場合を例にしたが、これに限らず、垂直線から左右いずれかの方向にずらして配置してもよい。
【００５０】
上記実施の形態では、ステップＳ４２でＮｏ〔上側入賞個数ｋが８個に達した〕と判定すると、ステップ４８に進んで、上側可動片１７ａを閉じて大当り作動を終了させるように構成した場合をを例にしたが、これに代えて、ステップＳ４２でＮｏ〔上側入賞個数ｋが８個に達した〕と判定した場合、凹溝２８が上方になるようにして振分け回転体１８を停止させ、上側大入賞口２５ａに入賞した遊技球が、確実に凹溝２８に入球し、大当りを途中で中断させずに最終ラウンドまで継続できるようにすることが可能である。そして、このように構成することにより、大当りの出玉は、平均的に多くなり、大当り遊技における安心感を向上させることができる。
【００５１】
【発明の効果】
請求項１記載の発明によれば、前記可動片を、前記遊技領域の左側に配置される上側可動片及び下側可動片から構成し、前記始動入賞口を、左側始動口、右側始動口及び中央始動口から構成しているので、遊技内容に変化を持たせることができ、遊技性を向上できることになる。
また、上側基準値と下側基準値とを異なる値とした分、遊技性の向上を図ることができる。
さらに、前記入賞装置へ前記上側可動片から入球した遊技球は、前記下側可動片から入球した遊技球と比較して前記Ｖゾーンへの入賞確率が高いので、複数の組合せが可能になって遊技内容が豊富になり、遊技性の向上を図ることができる。
さらに、大当り状態作動時において上側大入賞口に入球した遊技球の検出数が予め定めた上側基準値になると、振分け回転体について前記凹部が上方になるように停止させ、前記凹溝を介して前記上側大入賞口からの遊技球を前記Ｖゾーンへ誘導することにより前記大当り状態作動を継続させることが可能であり、上側大入賞口に入賞した遊技球が、確実に凹溝に入球し、大当り状態作動を途中で中断させずに最終ラウンドまで継続できるようにすることが可能であるので、このように構成することにより、大当りの出玉は、平均的に多くなり、大当り遊技における安心感を向上させることができる。
【図面の簡単な説明】
【図１】本発明の一実施の形態のパチンコ機を模式的に示す正面図である。
【図２】図1の可変入賞装置を模式的に示す斜視図である。
【図３】図1のパチンコ機の制御内容を示すフローチャートである。
【図４】図３の大当り処理を示すフローチャートである。
【符号の説明】
１    パチンコ機
２    遊技盤
５    可変入賞装置
１３  Ｖゾーン
１７ａ  上側可動片
１７ｂ  下側可動片
２５ａ  上側大入賞口
２５ｂ  下側大入賞口
【図１】
0003742544.tif 000002
【図２】
0003742544.tif 000003
【図３】
0003742544.tif 000004
【図４】
0003742544.tif 000005